(57)【要約】      （修正有）【課題】可動接点と固定接点が溶着した場合に、ハンドルはオフ位置までは移動されず、ハンドルをオフ位置の方向に操作しても溶着状態の接点を引き剥がさないように作用する安価で安全性に優れた回路遮断器を提供する。【解決手段】開閉機構部１００は、ハンドルレバー１０６をオフ位置の方向に移動させることにより、クレドル１０３を回転させて、引外し杆１０５と作動板１０４とをラッチ状態にせしめる。当該回路遮断器は溶着トリップ状態において、当該クレドル１０３と連動するトグルリンク１０２に、当該ハンドルレバー１０６の回動軌跡上において係合する当該ハンドルレバー１０６との係合部を設け、当該ハンドルレバー１０６には前記係合部と係合する被係合部を設けることにより、当該トグルリンク１０２が接点を閉路する方向に押圧するとともに、当該ハンドルレバー１０６のオフ方向への移動が規制される。【選択図】図３
2010108799.tif 000002
【特許請求の範囲】
【請求項１】
カバーと基台とからなる器体と，
前記器体から操作部が突出する操作ハンドルと，
該操作ハンドルの操作に連動する開閉機構部を備え，
開閉機構部は，前記操作ハンドルのオン／オフ操作を固定接触子と可動接触子からなる接点装置に伝達し，該接点装置を開閉動作させるとともに引外し装置の作動によって接点装置を開離させるようラッチ機構，リンク機構，遮断ばねを備えて構成された回路遮断器において，
前記開閉機構部は，要部が前記基台に固定配置される固定フレームに組みつけられるものであって，
可動接触子を装着するクロスバーに一端が連結されてリンク軸により連結節をなす一対のトグルリンクからなるトグルリンク部と，
該トグルリンク部の他端を枢支部により枢支して，前記固定フレームに回動自在に軸支されるとともに引外し装置が作用する作動板とラッチ部を形成して固定フレームに軸支された引外し杆に当接して支持されるクレドルと，
操作ハンドルが装着されて，固定フレームに枢支されるとともに前記トグルリンクの連結節のリンク軸とバネ部材により連結されて操作ハンドルのオン／オフ位置の間で回動自在に設けられるハンドルレバーを含み，
前記クレドルには，前記引外し装置が作動して解放したラッチ部をリセットするためにハンドルレバーをオフ位置の方向に移動させることにより，該ハンドルレバーと当接してクレドルを回動させて引外し杆と作動板とをラッチ状態にせしめるハンドルレバーとの当接部を設け，
さらに，トグルリンク部のクレドルに枢支される側の第一のリンクには，ハンドルレバーの回動軌跡上において係合するハンドルレバーとの係合部を設けるとともに
ハンドルレバーには，該ハンドルレバーとの係合部と係合する被係合部を設け，
前記引外し装置の作動により前記ラッチ部が解放されたにもかかわらず，固定接触子に設けられる固定接点と可動接触子に設けられる可動接点が溶着した時には，
操作ハンドルをオン位置からオフ位置に移動させる過程で，ハンドルレバーがクレドルに設けられたハンドルレバーとの当接部と当接することによりクレドルをリセット方向に回転させ，それに伴い，該クレドルに枢支された前記トグルリンクが可動接触子を固定接触子と閉路する方向に押圧されるとともに，第一のリンクに設けられたハンドルレバーとの係合部がハンドルレバーに設けられた被係合部と係合することにより，ハンドルレバーのオフ方向への移動が規制されることを特徴とする回路遮断器。
【請求項２】
前記第一のリンクに設けられたハンドルレバーとの係合部は，
該第一のリンクの一部を折曲げ加工して，ハンドルレバーの回動軌跡上においてハンドルレバーに係合するハンドルレバーとの係合部を形成するとともに，
前記ハンドルレバーに設けられた被係合部は，
ハンドルレバーの一部を打抜き加工して，前記ハンドルレバーとの係合部が係合する被係合部を形成したことを特徴とする請求項１記載の回路遮断器。
【請求項３】
前記第一のリンクに設けられたハンドルレバーとの係合部は，
第一のリンクにおける前記連結節とクレドルとの枢支部の枢支部寄りに設けられ，
固定接触子に設けられる固定接点と可動接触子に設けられる可動接点が溶着した時に，
操作ハンドルをオン位置からオフ位置に移動させる過程で，
ハンドルレバーがクレドルに設けられたハンドルレバーとの当接部と当接することによりクレドルがリセット方向に回動され，それに伴い，
該クレドルに枢支された前記トグルリンクの第一のリンクに設けられたハンドルレバーとの係合部が移動する軌跡と直交するようハンドルレバーに設けられた被係合部を形成したことを特徴とする請求項２記載の回路遮断器。
【発明の詳細な説明】
【技術分野】
【０００１】
この発明は，回路遮断器に関する。特に，該回路遮断器の可動接点と固定接点が溶着した場合には，ハンドルをオフ位置まで移動できず，常にハンドルがオン位置に付勢されるようにした回路遮断器に関するものである。
【背景技術】
【０００２】
従来の回路遮断器の例を第１２図，第１３図に示した。第１２図は，特許文献１における回路遮断器の例である。第１２図には，ベースとカバーよりなる絶縁筐体の内部に固定接触子と，この固定接触子に対向して接離する可動接触子と，この可動接触子を駆動するトグルリンク機構と，このトグルリンク機構に対して所定の関係位置に回動自在に枢支されたハンドルアームと，過電流に応動してトグルリンク機構を作動させる引外し装置とを収納した回路遮断器において，トグルリンク機構に，固定接点と可動接点が溶着時に，ハンドルアームに係合して，ハンドルが開路位置に移動するのを阻止する阻止部を設けた回路遮断器が開示されている。
【０００３】
前記阻止部は，トグルリンク機構のハンドル側リンクに設けられ，固定接点と可動接点が溶着時に，ハンドルアームに係合して，ハンドルが開路位置に移動するのを阻止するカム部である。
【０００４】
また，トグルリンク機構のハンドル側リンクのハンドルアームと係合する阻止部は，ハンドル側リンクの支点を中心とした円弧状のカム部で形成されている。
【０００５】
ハンドル側リンクのハンドルアームと係合するカム部は，固定接点と可動接点が溶着時にハンドルを開路方向に移動する過程において，この移動過程の前期に前述のハンドルアームに係合する第２のカム部と，前述の移動過程の後期に前述のハンドルアームに係合する第１のカム部で形成されている。
【０００６】
ハンドル側リンクのハンドルアームと係合するカム部の形成は，ハンドル側リンクの支点を中心とした円弧状の第１のカム部と，ハンドル側リンクの支点より可能接触子側リンク側を中心とする円弧状の第２のカム部から成っている。
【０００７】
そして，クロスバーとハンドルアームとの間には，固定接触子の固定接点と可動接触子の可動接点が溶着時にクロスバーおよびハンドルアームとの相互間に係合して，ハンドルが開路位置に移動することを阻止するストッパが設けられている。
【０００８】
第１３図は特許文献２における回路遮断器の例である。該第１３図には，回路遮断器において，可動接点が固定接点に接触された状態で，ハンドルレバー等操作部材を接点非接触方向へ移動させたときは，操作部材側に設けた係合部と，リンク機構のレバー側に設けた係合部とが，該移動の途中位置で互いに係合されるようにして該操作部材の接点非接触方向へのさらなる移動を禁止する構成とする回路遮断器が開示されている。
【０００９】
より詳しくは，回路遮断器は，可動接点を固定接点に対し非接触状態にする操作部材と，複数のレバーが組合わされ前述の操作部材の生ずる変位を可動接点側に伝達するリンク機構と，操作部材側に設けられた第１の係合部と，リンク機構のレバー側に設けられた第２の係合部とを備えており，可動接点と固定接点に拘束的に接触させた状態で，操作部材を，接点非接触方向へ移動させたとき，移動の途中位置で前述の第１，第２の係合部が互いに係合され該操作部材の接点非接触方向への移動が禁止される操作部材移動禁止機構とを備え，固定接点に対して可動接点が溶着した状態では，操作部材の接点非接触方向への移動途中で，操作部材の該方向への移動を禁止する構成とされている。
【００１０】
このような構成により，可動接点と固定接点が溶着した場合には，ハンドル等の操作部材はオフ位置までは移動されないよう回路遮断器が構成されている。
【特許文献１】ＷＯ９７／３５３３３  第６図
【特許文献２】特開２００３−３４６６３１  第５図
【発明の開示】
【発明が解決しようとする課題】
【００１１】
回路遮断器の使用にあたり，可動接点と固定接点とが溶着したような場合には，回路遮断器には，本来想定された定格容量以上の電流が流れたことが予想され，可能ならば該溶着の度合いが重度，軽度に関わらず，回路遮断器の取替えを行うことが望ましい。溶着を起こした接点は，可動接点と固定接点とを引き剥がせたとしても，その表面が荒れ，接点周囲には接点を構成する金属飛沫が飛散して，絶縁性能が低下し，回路遮断器としての性能が低下していることが予想されるからである。
【００１２】
ところで，特許文献１及び特許文献２においては，可動接点と固定接点が溶着した場合には，ハンドル等の操作部材はオフ位置までは移動されないような回路遮断器の提供がなされているが，その他に，接点溶着の度合いが軽度の場合には，可動接点を固定接点から剥がすことができる構成となっていることが開示されている。
【００１３】
このことは，特許文献１においては，図６のように，１００は上部リンクであり，ハンドルアーム５９の折り曲げ係合部５９ａと係合するカム部の形状が，軸５７の中心点Ｃ１を中心として半径Ｒ１で形成される第１のカム部１００ａと，軸５７の中心点Ｃ１から寸法Ｌだけ下部リンク５２側に離れた任意の位置を中心点Ｃ２とし，これを中心として半径Ｒ２で形成される第２のカム部１００ｂで形成されていることによる。
【００１４】
例えば，閉路状態でパルス上の大電流が流れて，クレドル５５と掛け金６３との係合が解除されない状態で，固定接点４３ａと可動接点４４ａとの間に溶着現象が生ずると，可動接点４４ａが開離しない。そして，保守点検等の必要から開路状態にするためにハンドル６２を開路側に反時計方向に動かすと，トグルばね６０が伸張してハンドルアーム５９も反時計方向に回動され，開路位置方向に移動される。しかしながら，ハンドルが反時計方向に移動する途中，すなわち，ハンドル６２を開路方向に移動する過程の前期で，ハンドルアーム５９折曲げ係合部５９ａが上部リンク１００の第２のカム部１００ｂに係合する。この時，第２のカム部１００ｂとハンドルアーム５９の折曲げ係合部５９ａの接触点には中心点Ｃ２に向かって押圧力Ｆ２が作用する。このＦ２の方向は中心点Ｃ２の方向に働くため，上部リンク１００には軸５７の中心点Ｃ１を支点として時計方向のモーメントＭ＝Ｆ２×Ｌが作用して，上部リンク１００と下部リンク５２を連結する軸５６を矢印のＤ方向に回動させて，特許文献１の第７図に示されたように，下部リンク５２を矢印Ｅ方向に引き上げて，可動接触子４４を固定接触子４３から開離させようとする。即ち，接点の溶着状態が小さい場合には，時計方向のモーメントＭ＝Ｆ２×Ｌにより可動接触子４４を引き上げて固定接点と開離する作用があるものである。
【００１５】
特許文献２においては，図５のように，第１のレバー１３のハンドルレバー１７側の面に，該第１のレバー１３の回転軸に沿う方向に突出した係合部（第２の係合部）２７を設けて，また，ハンドルレバー１７にも第１のレバー１３側の面に，該第１のレバー１３の回転軸に沿う報告に突出した係合部（第１の係合部）２８を設けて，両方の係合部２７，２８は，接点が溶着して第１のレバー１３が回転できなくなった場合にのみ係合する位置にあり，バウンドロック機構２２とは別の面側に位置させていることによる。これにより，ハンドル８からの操作力を第１のレバー１３に伝達し，溶着した接点の開離力を増加させるものである。即ち，接点の溶着が軽度のものである場合には，溶着した接点を引き剥がすことができるものである。
【００１６】
このように，可動接点と固定接点が溶着した場合には，ハンドル等の操作部材はオフ位置までは移動されないが，加えて，接点の溶着が軽度である場合には，溶着した接点を引き剥がす作用があるように構成されている。
【００１７】
しかしながら，一度溶着した接点は，その溶着の程度にもよるが，再溶着しやすくなったり，周囲の絶縁性能が低下しているおそれがあることから，その再使用が望ましくなく，十分な性能が発揮できなくなるおそれがあった。
【００１８】
そこで本件の発明の目的とするところは，可動接点と固定接点が溶着した場合には，ハンドル等の操作部材はオフ位置までは移動されず，ハンドルをオフ位置の方向に操作しても溶着状態の接点を引き剥がさないように作用し，しかも，可動接点と固定接点が溶着した場合には，ハンドル等の操作部材はオフ位置までは移動されない機能を持たない従来の回路遮断器から，部品の追加を行わずに構成でき，接点が溶着した場合にはその取替えを示唆する安価な安全性に優れた回路遮断器を提供することを目的とする。
【課題を解決するための手段】
【００１９】
上述の目的を達成するために，本発明の請求項１では，カバーと基台とからなる器体と，前記器体から操作部が突出する操作ハンドルと，該操作ハンドルの操作に連動する開閉機構部を備え，開閉機構部は，前記操作ハンドルのオン／オフ操作を固定接触子と可動接触子からなる接点装置に伝達し，該接点装置を開閉動作させるとともに引外し装置の作動によって接点装置を開離させるようラッチ機構，リンク機構，遮断ばねを備えて構成された回路遮断器において，前記開閉機構部は，要部が前記基台に固定配置される固定フレームに組みつけられるものであって，可動接触子を装着するクロスバーに一端が連結されてリンク軸により連結節をなす一対のトグルリンクからなるトグルリンク部と，該トグルリンク部の他端を枢支部により枢支して，前記固定フレームに回動自在に軸支されるとともに引外し装置が作用する作動板とラッチ部を形成して固定フレームに軸支された引外し杆に当接して支持されるクレドルと，操作ハンドルが装着されて，固定フレームに枢支されるとともに前記トグルリンクの連結節のリンク軸とバネ部材により連結されて操作ハンドルのオン／オフ位置の間で回動自在に設けられるハンドルレバーを含み，前記クレドルには，前記引外し装置が作動して解放したラッチ部をリセットするためにハンドルレバーをオフ位置の方向に移動させることにより，該ハンドルレバーと当接してクレドルを回動させて引外し杆と作動板とをラッチ状態にせしめるハンドルレバーとの当接部を設け，さらに，トグルリンク部のクレドルに枢支される側の第一のリンクには，ハンドルレバーの回動軌跡上において係合するハンドルレバーとの係合部を設けるとともにハンドルレバーには，該ハンドルレバーとの係合部と係合する被係合部を設け，前記引外し装置の作動により前記ラッチ部が解放されたにもかかわらず，固定接触子に設けられる固定接点と可動接触子に設けられる可動接点が溶着した時には，操作ハンドルをオン位置からオフ位置に移動させる過程で，ハンドルレバーがクレドルに設けられたハンドルレバーとの当接部と当接することによりクレドルをリセット方向に回転させ，それに伴い，該クレドルに枢支された前記トグルリンクが可動接触子を固定接触子と閉路する方向に押圧されるとともに，第一のリンクに設けられたハンドルレバーとの係合部がハンドルレバーに設けられた被係合部と係合することにより，ハンドルレバーのオフ方向への移動が規制されることを特徴として回路遮断器を提供したものである。
【００２０】
この構成によれば，接点溶着時において，ハンドルレバーをオフ位置の方向に移動させた場合には，ハンドルレバーは，クレドルに設けられたハンドルレバーとの当接部に当接し，クレドルを作動板と引外し杆とがラッチされる方向に回転させ，それに伴い，第一のリンクが可動接触子と固定接触子とを閉路する方向に押圧されるとともに，ハンドルレバーとの係合部がハンドルレバーの被係合部と係合することにより，ハンドルレバーのオフ方向への動きが規制され，しかも接点を引き剥がす作用をなさないよう回路遮断器を構成することができる。
【００２１】
また，請求項２による回路遮断器は，請求項１において，さらに，前記第一のリンクに設けられたハンドルレバーとの係合部は，該第一のリンクの一部を折曲げ加工して，ハンドルレバーの回動軌跡上においてハンドルレバーに係合するハンドルレバーとの係合部を形成するとともに，前記ハンドルレバーに設けられた被係合部は，ハンドルレバーの一部を打抜き加工して，前記ハンドルレバーとの係合部が係合する被係合部を形成したことを特徴として回路遮断器を提供したものである。この構成によれば，第一のリンクの一部を折曲げ加工してハンドルレバーとの係合部を形成し，ハンドルレバーの一部を打抜き加工してハンドルレバーとの係合部が係合する被係合部を形成したから，部品を追加することなく，しかも複雑な加工を必要としないから低コストで，可動接点と固定接点が溶着した場合には，ハンドル等の操作部材はオフ位置までは移動されず，ハンドルをオフ位置の方向に操作しても溶着状態の接点を引き剥がさないように作用する回路遮断器を提供することができる。
【００２２】
また，請求項３による回路遮断器は，請求項２において，さらに，前記第一のリンクに設けられたハンドルレバーとの係合部は，第一のリンクにおける前記連結節とクレドルとの枢支部の枢支部寄りに設けられ，固定接触子に設けられる固定接点と可動接触子に設けられる可動接点が溶着した時に，操作ハンドルをオン位置からオフ位置に移動させる過程で，ハンドルレバーがクレドルに設けられたハンドルレバーとの当接部と当接することによりクレドルがリセット方向に回動されるに伴い，該クレドルに枢支された前記トグルリンクの第一のリンクに設けられたハンドルレバーとの係合部が移動する軌跡と直交するようハンドルレバーに設けられた被係合部を形成したことを特徴として回路遮断器を提供したものである。この構成によれば，可動接触子が固定接触子と閉路する方向に押圧される途中で，ハンドルレバーとの係合部がハンドルレバーに受け止められ，それ以上は，接触子に不要な力をかけずにハンドルレバーが移動することを規制することができ，無理に操作ハンドルをオフ方向に操作しても，接点部分やトグルリンクの連結節に不要な力がかからず，構成部品の損傷を防ぐことができる回路遮断器を提供することができる。
【発明の効果】
【００２３】
本発明によれば，可動接点と固定接点が溶着した場合には，ハンドル等の操作部材はオフ位置までは移動されず，ハンドルをオフ位置の方向に操作しても溶着状態の接点を引き剥がさないように作用し，しかも，可動接点と固定接点が溶着した場合には，ハンドル等の操作部材はオフ位置までは移動されない機能を持たない従来の回路遮断器から，部品の追加を行わずに構成でき，接点が溶着した場合にはその取替えを示唆する安価な安全性に優れた回路遮断器を提供することができる。
【発明を実施するための最良の形態】
【００２４】
以下，この発明の実施例について図１〜１２を参照しながら説明する。図１は，本発明の回路遮断器の全体構成例を示し，図２，３は，回路遮断器の主要部の接点閉極状態（オン状態），図４，５は，回路遮断器の主要部の接点開極状態（オフ状態），図６，７は，回路遮断器の主要部のトリップ状態，図８，９は，回路遮断器の溶着時におけるハンドル移動規制状態，図１０，１１は，従来の溶着時におけるハンドル移動規制機能を持たない回路遮断器の比較図をそれぞれ示す。
【００２５】
図１に示した回路遮断器１は，カバー２と基台３とから器体が構成されて，操作ハンドル４の操作部がカバー２から突出して，操作ハンドル４の操作に連動する開閉機構部を備えている。開閉機構部は，操作ハンドル４のオン／オフ操作を固定接触子６と可動接触子５からなる接点装置に伝達し，接点装置を開閉動作させるとともに，バイメタルや電磁引外し装置からなる引外し装置７の作動によって接点装置を開離させるよう後述するラッチ機構，リンク機構，遮断ばねなどを備えて構成されている。
【００２６】
次に，図２，３を用いて，開閉機構部の詳細を説明する。開閉機構部１００は，要部が基台３に固定配置される固定フレーム１０１に組みつけられるものである。
【００２７】
固定接触子６と対向配置される可動接触子５は，各極を同時に開閉するよう基台３及び固定フレーム１０１に回動自在に支持されるクロスバー８に装着されている。また，可動接触子５は，クロスバー８に装着されたばね部材により常に固定接触子６の方向に付勢されている。
【００２８】
クロスバーには，リンク軸により連結節１０２１をなす一対のトグルリンクからなるトグルリンク部１０２の一端が連結されている。また，トグルリンク部１０２の他端は，クレドル１０３に枢支されている。なお，トグルリンク部１０２のうち，クレドル側のリンクを第一のリンク１０２２とし，クロスバー側のリンクを第二のリンク１０２３とする。
【００２９】
クレドル１０３は，トグルリンク部１０２の他端を枢支部１０３１により枢支して，前記固定フレーム１０２に軸支部１０３２により回動自在に軸支されるとともに，作動板１０４とラッチ部を形成して固定フレームに軸支された引外し杆１０５に当接して支持される。
【００３０】
ハンドルレバー１０６は操作ハンドル４が装着され，該操作ハンドル４の操作と連動して動作する。ハンドルレバー１０６は，固定フレーム１０１に枢支部１０１１により枢支されるとともに，前記トグルリンク１０２の連結節１０２１のリンク軸と，バネ部材（図示省略）により連結されて操作ハンドル４のオン／オフ位置の間で回動自在に設けられる。
【００３１】
また，クレドル１０３には，前記引外し装置７が作動して解放したラッチ部１０４１をリセットするためにハンドルレバー１０６をオフ位置の方向に移動させることにより，該ハンドルレバー１０６と当接してクレドル１０３を回転させて，引外し杆１０５と作動板１０４とをラッチ状態にせしめるハンドルレバーとの当接部１０３２が設けられている。
【００３２】
そして，トグルリンク部１０２を構成する第一のリンク１０２１には，ハンドルレバーの回動軌跡上において係合するハンドルレバーとの係合部１０３３を設けている。該ハンドルレバーとの係合部１０３３が係合する被係合部１０６１はハンドルレバー１０６に設けている。
【００３３】
前記ハンドルレバーとの係合部１０３３は，第一のリンクの一部を折曲げ加工して，ハンドルレバーの回動軌跡上においてハンドルレバーに係合するハンドルレバーとの係合部を形成している。また，ハンドルレバー１０６に設けられた被係合部１０６１は，ハンドルレバー１０６の一部を打抜き加工して，前記ハンドルレバーとの係合部１０３３が係合する被係合部１０６１を形成している。
【００３４】
また，第一のリンク１０２２に設けられたハンドルレバーとの係合部１０３３は，第一のリンク１０２２における前記連結節１０２１とクレドル１０３との枢支部１０３１の枢支部寄りに設けられ，固定接触子６に設けられる固定接点と可動接触子５に設けられる可動接点が溶着した時に，操作ハンドル４をオン位置からオフ位置に移動させる過程で，ハンドルレバー１０６がクレドル１０３に設けられたハンドルレバーとの当接部１０３２と当接することによりクレドル１０３がリセット方向に回動されるに伴い，該クレドル１０３に枢支された前記トグルリンク１０２の第一のリンク１０２２に設けられたハンドルレバーとの係合部１０３３が移動する軌跡と直交するようハンドルレバー１０６に設けられた被係合部１０６１を形成している。
【００３５】
次に，回路遮断器１の要部の動作について説明を行う。図３に示した接点が閉極状態になっているオン状態において，操作ハンドル４をオフ方向（図中時計回りの方向）に回転させると，連結節１０２１とハンドルレバーのばね部材の支持部を結ぶ線分が，前記枢支部１０３１を超えた時点で，トグルリンクに関わる力の方向が反転し，トグルリンクがくの字状に屈曲され，クロスバー８は可動接触子５とともに図中時計回りに回転し，可動接触子５が固定接触子６から開離され接点は開極状態となる。
【００３６】
また，図２，３に示す閉極状態で回路に異常電流が流れて，引外し装置７のうち，電磁引外し装置が動作した場合には，電磁誘導により可動鉄片が固定鉄心に吸引され，該可動鉄片が作動板１０４に作用する。
【００３７】
この場合には，該作動板１０４が図中反時計回りに回転し，引外し杆１０５とのラッチが解放される。この時，ばね部材によりトグルリンク１０２の連結節１０２１は図中上方向に引き上げられるよう作用されているから，クレドル１０３と引外し杆１０５の当接（ストッパ）がなくなることにより，クレドル１０３はクレドル１０３の軸支部１０３２を回転中心として，該クレドル１０３は図中反時計回りに回転を始める。そして，トグルリンク１０２の連結節１０２１はばね部材により引き上げられ，第２のリンクによりクロスバー８とともに可動接触子５が開極され，図６，７のように引外し動作を完了したトリップ状態となる。
【００３８】
図６，７のトリップ状態から，再投入を行う場合は，一旦操作ハンドル４をオフ方向に移動させ，ラッチ部１０４１をリセットし，その後，操作ハンドル４をオン方向に移動させることにより再投入できる。
【００３９】
ラッチ部１０４１のリセットには，操作ハンドル４をオフ方向に移動することにより，ハンドルレバー１０６もオフ方向に移動され，ハンドルレバー１０６と，クレドル１０３のハンドルレバーとの当接部１０３２が当接することにより，クレドル１０３が図中時計回りに回転するとともに，ハンドルレバー１０６が引外し杆１０５を押し戻し，作動板１０４とのラッチ部１０４１がラッチされ，図４，５で示した回路遮断器のオフ状態となる。そして，操作ハンドル４をオン方向に移動させると，連結節１０２１とハンドルレバーのばね部材の支持部を結ぶ線分が枢支部１０３１を超えた時に，トグルリンク１０２の屈曲を伸ばす方向にばね部材の力が働き，図２，３で示したオン状態となる。
【００４０】
さて，接点が溶着した場合で，しかも，引外し装置７が作動して作動板１０４引外し杆１０５とのラッチが解放された状態においては，操作ハンドル４をオフ方向に移動させる過程で，第一のリンク１０２２に設けられたハンドルレバーとの係合部１０３３がハンドルレバー１０６に設けられた被係合部１０６１と係合する。
【００４１】
この状態を示した図８，９においては，ハンドルレバー１０６は，クレドル１０３のハンドルレバーとの当接部１０３２がハンドルレバー１０６と当接しており，なおかつ，さらにオフ方向に操作ハンドル４を移動させようとしても，クレドル１０３の回転につれて，図中下方に移動しようとするハンドルレバーとの係合部１０３３は，ハンドルレバー１０６の被係合部１０６１に受け止められて，それ以上移動を行うことができない。また，ハンドルレバーとの係合部１０３３の移動軌跡の方向に対して直交するように，ハンドルレバーの被係合部１０６１を形成しているから，前記ハンドルレバーとの係合部の力を効率的に受け止めることができる。
【００４２】
この結果，可動接触子が固定接触子と閉路する方向に押圧される途中で，ハンドルレバーとの係合部がハンドルレバーに受け止められ，それ以上は，接触子に不要な力をかけずにハンドルレバーが移動することを規制することができ，強い力で操作ハンドルをオフ方向に操作しても，接点部分やトグルリンクの連結節には不要な力がかからない。しかも接点を引き剥がす作用をなさない。
【００４３】
このように，操作ハンドル４は接触子の開極もしくは閉極状態と連動した位置で維持され，接点が溶着している場合には，操作ハンドル４をオフ位置に移動することができないから，接点が開極状態であるとの誤認してしまうことを防止することができ，電気安全上優れた効果を奏する回路遮断器を提供することができる。
【００４４】
なお，図１０，１１に示したように，従来の溶着時におけるハンドル移動規制機能を持たない回路遮断器と比較してみると，構成部品の一部を切り欠いて，一部を折曲げ加工して突出させることにより，ハンドル移動規制機能を保有させることができる。即ち，従来の構成部品から機能追加のために部品を増やす必要がなく，形状を変更するのみでよいから，コストを増加させることなく，ハンドル移動規制機能を追加することができる。しかも，一度接点が溶着した場合には，接点を引き剥がすことがないから，その取替えを示唆する安価で安全性に優れた回路遮断器を提供することができる。
【産業上の利用可能性】
【００４５】
本件の発明の実施の形態として３極の回路遮断器の例を示したが，１極や２極の回路遮断器に適用を行うことにより，種々の回路遮断器に適用できる可能性がある。
【図面の簡単な説明】
【００４６】
【図１】本発明の回路遮断器の内部構造図を示す。
【図２】回路遮断器がオン状態であるときの要部斜視図を示す。
【図３】回路遮断器がオン状態であるときの要部断面図を示す。
【図４】回路遮断器がオフ状態であるときの要部斜視図を示す。
【図５】回路遮断器がオフ状態であるときの要部断面図を示す。
【図６】回路遮断器がトリップ状態であるときの要部斜視図を示す。
【図７】回路遮断器がトリップ状態であるときの要部断面図を示す。
【図８】回路遮断器が接点溶着状態でハンドル位置の規制状態であるときの要部斜視図を示す。
【図９】回路遮断器が接点溶着状態でハンドル位置の規制状態であるときの要部断面図を示す。
【図１０】従来型の回路遮断器がオン状態であるときの要部斜視図を示す。
【図１１】従来型の回路遮断器がオン状態であるときの要部断面図を示す。
【図１２】特許文献１の回路遮断器におけるハンドル位置規制状態を示す図。
【図１３】特許文献２の回路遮断器におけるハンドル位置規制状態を示す図。 
【符号の説明】
【００４７】
１  回路遮断器
２  カバー
３  基台
４  ハンドル
５  可動接触子
６  固定接触子
７  引外し装置
８  クロスバー
１００  開閉機構部
１０１  固定フレーム
１０２  トグルリンク
１０２１  連結節
１０２２  第１のリンク
１０２３  第２のリンク
１０３  クレドル
１０３１  枢支部
１０３２  軸支部
１０３３  ハンドルレバーとの係合部
１０４  作動板
１０５  引外し杆
１０６  ハンドルレバー
１０６１  被係合部
【図１】
2010108799.tif 000003
【図２】
2010108799.tif 000004
【図３】
2010108799.tif 000005
【図４】
2010108799.tif 000006
【図５】
2010108799.tif 000007
【図６】
2010108799.tif 000008
【図７】
2010108799.tif 000009
【図８】
2010108799.tif 000010
【図９】
2010108799.tif 000011
【図１０】
2010108799.tif 000012
【図１１】
2010108799.tif 000013
【図１２】
2010108799.tif 000014
【図１３】
2010108799.tif 000015